(57)【要約】【課題】カメラ付きの携帯電子機器において、カメラ部を回転自在に組み込んだり複数設けることなく、簡単な操作により風景撮影及び他人撮影に加え自分撮影を可能とする。【解決手段】操作部１１を有する本体部１と、本体部１の操作部１１を有する面側に重ねられる蓋部２と、本体部１に対し平行に蓋部２をスライド自在に結合するスライド機構５と、本体部１の蓋部２がスライドする方向の端部に回転自在に設けられ、スライド動作する蓋部２に係合して回転可能な回転部３とを備えるスライド式携帯電子機器である。そして、蓋部２の表面に設けられる表示部２１と、回転部３の周面に設けられるカメラ部３１とを備える。さらに、回転部３の周面に蓋部２の係合面２３と係合する係合面３３が形成され、回転部３の係合面３３と交差する面にカメラ部３１が設けられている。【選択図】図１
2005143007.tif 000002
【特許請求の範囲】
【請求項１】
操作部を有する本体部と、
本体部の操作部を有する面側に重ねられる蓋部と、
本体部に対し平行に蓋部をスライド自在に結合するスライド機構と、
本体部の蓋部がスライドする方向の端部に回転自在に設けられ、スライド動作する蓋部に係合して回転可能な回転部とを備えることを特徴とするスライド式携帯電子機器。
【請求項２】
前記蓋部の表面に設けられる表示部と、
前記回転部の周面に設けられるカメラ部とを備えることを特徴とする請求項１に記載のスライド式携帯電子機器。
【請求項３】
前記回転部の周面に前記蓋部との係合面が形成され、
前記回転部の前記係合面と交差する面に前記カメラ部が設けられていることを特徴とする請求項２に記載のスライド式携帯電子機器。
【発明の詳細な説明】
【技術分野】
【０００１】
本発明は、カメラ部を有するスライド式携帯電子機器に関する。
【背景技術】
【０００２】
キー入力操作を行う操作部を有する本体部を連結部の一端側にヒンジ結合して、表示部を有する蓋部を連結部の他端側にヒンジ結合した折り畳み式携帯電話機において、連結部にカメラ部を設けたものがある（例えば特許文献１参照）。
また、本体部と蓋部を結合するヒンジ部に回転自在にカメラ部を組み込んだものもある（例えば特許文献２参照）。
そして、操作部を有する本体部に対し、表示部を有する蓋部をスライド可能に組み付けたスライド式携帯電話機において、スライド可能な蓋部の表裏面のそれぞれにカメラ部を設けたものもある（例えば特許文献３参照）。
【特許文献１】特開２００２−１９８８４９号公報
【特許文献２】特開２００２−２９５４４５号公報
【特許文献３】特開２００３−１１０６８０号公報
【発明の開示】
【発明が解決しようとする課題】
【０００３】
従来のカメラ付き携帯電話機は、風景撮影及び他人撮影に加え自分撮影を可能とするにはヒンジ部等に、向きを可変としたカメラ部を回転自在に組み込んでおいたり、蓋部等の表裏面にそれぞれ向く複数のカメラ部を組み込んでおく必要があり、構造複雑・部品点数増大の要因となっていた。
また、蓋体の表示部をファインダー（モニター）として見ながらカメラとして使用する面からは、風景撮影及び他人撮影から自分撮影への切り替えまたはその逆に切り替える場合、カメラ部を手で回転させて向きを反対側に変えたり、携帯電話機を裏返しに持ち替えたりなど面倒な操作を伴うものとなっていた。
【０００４】
本発明の課題は、カメラ付きの携帯電子機器において、カメラ部を回転自在に組み込んだり複数設けることなく、簡単な操作により風景撮影及び他人撮影に加え自分撮影を可能とすることである。
【課題を解決するための手段】
【０００５】
以上の課題を解決するため、請求項１に記載の発明は、例えば図１及び図２に示すように、操作部１１を有する本体部１と、本体部１の操作部１１を有する面側に重ねられる蓋部２と、本体部１に対し平行に蓋部２をスライド自在に結合するスライド機構５と、本体部１の蓋部２がスライドする方向の端部に回転自在に設けられ、スライド動作する蓋部２に係合して回転可能な回転部３とを備えるスライド式携帯電子機器を特徴とする。
【０００６】
請求項１に記載の発明によれば、本体部に対し操作部を有する面側に重ねられる蓋部を平行にスライドさせるスライド機構により結合し、本体部の蓋部がスライドする方向の端部に、スライド動作する蓋部に係合して回転する回転部を設けたので、本体部に対し蓋部をスライド操作すると、本体部の端部に設けた回転部が、スライド動作する蓋部に係合して回転する。つまり、回転部の一部が、本体部に重なった状態の蓋部と並んだ位置と、本体部の延長上で蓋部の裏側の位置して反対側に向いた位置とに変化する。
【０００７】
請求項２に記載の発明は、請求項１に記載のスライド式携帯電子機器であって、例えば図１及び図２に示すように、前記蓋部２の表面に設けられる表示部２１と、前記回転部３の周面に設けられるカメラ部３１とを備えることを特徴とする。
【０００８】
請求項２に記載の発明によれば、請求項１に記載の発明の構成に加え、蓋部の表面に表示部を設けて、回転部の周面にカメラ部を設けることで、本体部に対し蓋部をスライド操作すると、本体部端部の回転部に設けたカメラ部が、本体部に重なった状態の蓋部に設けた表示部と並んで向いた位置と、本体部の延長上で蓋部の裏側に位置して表示部と反対側に向いた位置とに向きを変える。
このように、回転部に１個のカメラ部を設けるだけで、本体部に対する蓋部の簡単なスライド操作により風景撮影及び他人撮影に加え自分撮影が可能となる。
【０００９】
請求項３に記載の発明は、請求項２に記載のスライド式携帯電子機器であって、例えば図１及び図２に示すように、前記回転部３の周面に前記蓋部２との係合面３３が形成され、前記回転部３の前記係合面３３と交差する面に前記カメラ部３１が設けられていることを特徴とする。
【発明の効果】
【００１０】
本発明によれば、本体部に対し蓋部をスライド操作すると、本体部端部の回転部に設けたカメラ部が、本体部に重なった状態の蓋部に設けた表示部と並んで向いた位置と、本体部の延長上で蓋部の裏側に位置して表示部と反対側に向いた位置とに変化することで、風景撮影及び他人撮影に加え自分撮影が行える。
しかも、回転部に１個のカメラ部を設けた構成で、本体部に対する蓋部の簡単なスライド操作によって、以上を達成できる。
【発明を実施するための最良の形態】
【００１１】
以下、図を参照して本発明を実施するための最良の形態を詳細に説明する。
本発明を適用したスライド式携帯電子機器の一実施形態として携帯電話機を示した図１及び図２において、１は本体部、２は蓋部、３は回転部、４はヒンジ部、５はスライド機構である。
本体部１は、図１（ｂ）に示すように、一面（図示では上面）側にカメラキーやシャッターキー等を含む各種入力キー及びテンキー等による操作部（入力部）１１を備えている。図１（ａ）及び図２（ａ）に示すように、本体部１の操作部１１を有する面上の長手方向に沿って蓋部２が重ねられる。
【００１２】
蓋部２は、本体部１を覆う大きさであり、図１（ａ）及び（ｂ）に示すように、本体部１上に位置する状態で表面（図示では上面）に表示部２１を備えている。
回転部３は、側面視ほぼ三角形をなしていて、図１（ｃ）に単品状態で示すように、表面にカメラ部３１及びフラッシュランプ（発光部材）３２が並べて備えている。この回転部３は、カメラ部３１と反対側の端部において、図２に示すように、本体部１の長手方向一端部に対しヒンジ部４により回動自在に結合されている。
【００１３】
以上において、本体部１及び蓋部２には、本体部１に対し操作部１１を有する面に重なる蓋部２を長手方向に沿ってスライド自在に組み付けるスライド機構５が設けられている。スライド機構５は、例えば本体部１の操作部１１の両側部に沿って形成されたガイド溝５１と、蓋部２の裏面に設けられ、ガイド溝５１に係合する図略のスライドピンとからなる。
また、蓋部２には、スライド機構５に設けた図示しないロック機構を解除操作するスライドロック解除レバー２２が備えられている。
そして、蓋部２と回転部３には、図１（ａ）及び図２（ａ）に示すように、本体部１上に重なった蓋部２上の表示部２１と回転部３のカメラ部３１及びフラッシュランプ３２が並んだ状態において、互いに当接状態となる係合面２３・３３が形成されている。図示例では、蓋部２の係合面２３上に回転部３の係合面３３が重なる傾斜面となっている。
【００１４】
図３は実施形態の携帯電話機の通信・画像・制御処理を示したブロック図である。
無線部１２１は、アンテナ（図１及び図２の外観には表れない内蔵アンテナ）１０１に接続されて当該アンテナ１０１を駆動制御する回路部であり、外部の通信サービス事業者が採用する無線通信方式（例えばＣＤＭＡ、ＰＤＣ、ＧＳＭ等）に基づく無線信号の変調処理、及び、端末認証処理を含む通信処理を行う。
制御部１２２は、当該携帯電話機の回路全体を制御するとともに、通信サービス事業者を経由したＷＷＷ接続の制御を行うもので、通信データ処理部１２２１、システムＲＯＭ１２２２及びオーディオインターフェース１２２３を有している。通信データ処理部１２２１は、音声復号符号化処理回路、パケットデータ生成回路、及び、パケットデータ復元回路を含み、通信サービス事業者が採用する通信プロトコルに沿ったデータ処理を行う。システムＲＯＭ１２２２には、当該携帯電話機の基幹部分を制御する基本システムが格納される。オーディオインターフェース１２２３は、通信データ処理部１２２１で処理される音声信号の入出力を行うものであって、図１及び図２の外観には示されないが、当該携帯電話機に備えられたスピーカ１０１、マイク１０３及び録音用マイク１０４が接続されている。
【００１５】
アドレス・データバス処理部１２３は、制御部１２２と周辺回路（図示破線枠内の回路）とのデータの入出力タイミング等を制御・管理するものである。ＲＡＭ１２４は、電話番号を含むアドレス帳データ、ネットワーク接続に用いられるメールデータ及びインターネットアドレス、及び、撮像デバイス（カメラ部）３１にて撮像された画像データ等の各種データを記憶する。プログラムＲＯＭ１２５は、画像処理プログラムを含む各種アプリケーションプログラム等を格納する。音源ＩＣ１２６は、報知音の波形を記憶するとともに、報知音としてメロディ等を出力するものである。アンプ１２７は音源ＩＣ１２６からの出力を増幅する。図１及び図２の外観には示されないが、携帯電話機に備えられた報知用スピーカ１０５は報知音を再生する。
【００１６】
表示モジュール系ドライバ１２８は、表示部２１、フラッシュランプ３２、図１及び図２の外観には示されないが、携帯電話機に備えられた報知用ＬＥＤ１０６を駆動するものである。撮像デバイス（カメラ部）３１は、その撮像レンズ３１１により被写体像が結像されるＣＣＤ等からなり、ＤＳＰ１２９は、この撮像デバイス（カメラ部）３１からの画像信号を処理するものである。
なお、入力部（操作部）１１には、回転部３（カメラ部３１）の前向き位置と後ろ向き位置を検出するマイクロスイッチＳＷ１・ＳＷ２が設けられている。これらマイクロスイッチＳＷ１・ＳＷ２のいずれかがＯＮの時に撮影可能モードになり、このマイクロスイッチＳＷ１・ＳＷ２の状態によって撮影データ及びモニター表示の天地が切換制御される。
【００１７】
以上の通り、実施形態では、本体部１上に重ねられる蓋部２を平行にスライドさせるスライド機構５により結合し、本体部１の端部に、スライド動作する蓋部２に係合して回転する回転部３を設けたスライド式携帯電話機であって、図１（ａ）に示すように、蓋部２上に表示部２１が位置して、回転部３上にカメラ部３１及びフラッシュランプ３２が位置するものとなっている。
これにより、携帯電話機を片手で持った使用者の方を表示部２１とカメラ部３１及びフラッシュランプ３２が向いた状態になり、即ち、表示部２１をファインダー（モニター）として見ながらカメラ部３１による自分撮影の使用に適した状態になる。また、テレビ電話としての使用にも適した状態になる。
【００１８】
そして、スライドロック解除レバー２２を手指で操作してから、本体部１に対しガイド溝５１に沿って蓋部２をスライド操作すると、蓋部２の係合面２３により回転部３の係合面３３が押されて、図１（ｂ）及び図２（ｂ）に示したように、蓋部２の裏側で回転部３がヒンジ部４周りに回動する。
従って、図１（ｂ）に示したように、本体部１の操作部１１と蓋部２の表示部２１が並んだ状態にしてから、回転部３を手指でさらに回動させて、図２（ｃ）に示したように、回転部３のカメラ部３１を表示部２１と反対側に向けることができる。
これにより、表示部２１を見ながらカメラ部３１による風景撮影や他人撮影の使用に適した状態になる。
【００１９】
なお、戻す場合には、スライドロック解除レバー２２を手指で操作し、蓋部２をスライド操作して本体部１に重ねた状態にしてから、回転部３を回動させて、カメラ部３１を手前側に向ける。
ここで、回転部３の図２（ｂ）から（ｃ）への変化については、例えば突起や歯車やばね等による連動機構等を設けて、蓋部２のスライド動作に連動させるようにしても良い。同様に、回転部３の図２（ｃ）から（ｂ）への変化についても、蓋部２のスライド動作に連動させるようにしても良い。
【００２０】
以上のように、カメラ付き携帯電話機として、カメラ部を回転自在に組み込んだり複数設けることなく、本体部１の端部に設けられる連結部３に１個のカメラ部３１を設ける構成によって、本体部１に対する蓋部２の簡単なスライド操作により風景撮影や他人撮影に加え自分撮影やテレビ電話が行えるものとなる。
【００２１】
なお、以上の実施形態においては、携帯電話機としたが、本発明はこれに限定されるものではなく、ＰＤＡなど他の携帯通信端末機器を含む携帯電子機器であっても良い。
更にスライドスイッチＳＷ１・ＳＷ２は必ずしも必要ではなく、モードスイッチで撮影モードをその都度切替えるようにしても良く、表示の天地制御も図１（ａ）の状態で撮影者が機器本体を上下逆に持ち替えることで対応可能である。
また、スライド機構について実施形態に限らず任意の構成を採用しても良く、その他、回転部の形状等も任意であり、具体的な細部構造等についても適宜に変更可能であることは勿論である。
【図面の簡単な説明】
【００２２】
【図１】本発明を適用したスライド式携帯電子機器の一実施形態の構成を示す斜視図で、携帯電話機の本体部上に蓋部を重ねた状態を示した図（ａ）、蓋部をスライドさせた状態を示した図（ｂ）、回転部の単品図（ｃ）である。
【図２】図１の携帯電話機の側面図を示したもので、本体部に蓋部を重ねた状態を示した図（ａ）、蓋部をスライドさせて本体部の延長上に位置させた状態を示した図（ｂ）、回転部を図（ｂ）の向きからさらに反対側へ向けた状態を示した図（ｃ）である。
【図３】実施形態の携帯電話機の通信・画像・制御処理を示したブロック図である。
【符号の説明】
【００２３】
１  本体部
１１  操作部
２  蓋部
２１  表示部
２２  スライドロック解除レバー
２３  係合面
３  回転部
３１  カメラ部
３２  フラッシュランプ（発光部材）
３３  係合面
４  ヒンジ部
５  スライド機構
５１  ガイド溝
【図１】
2005143007.tif 000003
【図２】
2005143007.tif 000004
【図３】
2005143007.tif 000005